(57)【要約】      （修正有）【課題】保守点検及び清掃作業を容易にすることができ、しかも軽量化された回転電機を提供する。【解決手段】固定子鉄心２等で構成される固定子と、前記固定子の内部にあって前記固定子に対し相対的に回転運動を行う回転子６と、前記回転子６を支持する軸受４とを備えた回転電機であって、前記固定子鉄心２と前記軸受４を同一ベース１上に固定する。さらに励磁機を備えた回転電機においては、固定子鉄心、軸受および励磁機の固定子を同一ベース上に固定する。【選択図】図１
2007143301.tif 000002
【特許請求の範囲】
【請求項１】
固定子鉄心等で構成される固定子と、前記固定子の内部にあって前記固定子に対し相対的に回転運動を行う回転子と、前記回転子を支持する軸受とを備えた回転電機であって、前記固定子鉄心と前記軸受を同一ベース上に固定したことを特徴とする回転電機。
【請求項２】
請求項１に記載の回転電機において、励磁機を備え、前記固定子鉄心と前記軸受及び前記励磁機の固定子を前記同一ベース上に固定したことを特徴とする回転電機。
【請求項３】
請求項１又は請求項２のいずれかに記載の回転電機において、前記回転電機の構成部品を固定子カバーで覆うことを特徴とする回転電機。
【請求項４】
請求項１又は請求項２のいずれかに記載の回転電機において、前記軸受以外の回転電機の構成部品を固定子カバーで覆うことを特徴とする回転電機。
【発明の詳細な説明】
【技術分野】
【０００１】
本発明は、回転電機の構造に関するものである。
【背景技術】
【０００２】
従来の回転電機の構造は例えば特許文献１に開示されている。この特許文献１に開示の回転電機の上半分を断面図で表わした図５の側面図を参照して説明する。
【０００３】
図５において、２は固定子、４は軸受、６は回転子、７は励磁機、１０は保守点検スペース、１１は固定子枠、１２は固定子枠用リブ、１３は固定子枠用棚板、１４は軸受プラケット、１５は励磁機取付枠である。固定子鉄心２と軸受４と回転子６と励磁機７の荷重は固定子枠１１で受けるため固定子枠用リブ１２と固定子枠用棚板１３と軸受プラケット１４と励磁機取付枠１５が必要であった。
【０００４】
ところで、上記特許文献１の回転電機の構造は、固定子枠用リブ１２と固定子枠用棚板１３と励磁機取付枠１５を設けているため、保守点検スペース１０が狭くなり、保守点検及び清掃作業が困難になる箇所があった。また、固定子鉄心２と回転子６の荷重を受けるために、固定子枠１１と固定子枠用リブ１２と固定子枠用棚板１３の板厚が厚くなり、回転電機全体の重量は重かった。
【特許文献１】特開２００３−１３４７６４
【発明の開示】
【発明が解決しようとする課題】
【０００５】
本発明は、上記状況に鑑みてなされたもので、その課題は、保守点検及び清掃作業が容易にでき、しかも軽量化された回転電機を提供することにある。
【課題を解決するための手段】
【０００６】
上記課題を解決するために、本発明の請求項１は、固定子鉄心等で構成される固定子と、前記固定子の内部にあって前記固定子に対し相対的に回転運動を行う回転子と、前記回転子を支持する軸受とを備えた回転電機であって、前記固定子鉄心と前記軸受を同一ベース上に固定したことを特徴とする。
【０００７】
本発明の請求項２は、請求項１に記載の回転電機において、励磁機を備え、前記固定子鉄心と前記軸受及び前記励磁機の固定子を前記同一ベース上に固定したことを特徴とする。
【０００８】
本発明の請求項３は、請求項１又は請求項２のいずれかに記載の回転電機において、前記回転電機の構成部品を固定子カバーで覆うことを特徴とする。
【０００９】
本発明の請求項４は、請求項１又は請求項２のいずれかに記載の回転電機において、前記軸受以外の回転電機の構成部品を固定子カバーで覆うことを特徴とする。
【発明の効果】
【００１０】
本発明によれば、保守点検及び清掃作業が容易となり、しかも軽量化された回転電機を提供することができる。
【発明を実施するための最良の形態】
【００１１】
以下、本発明を実施するための最良の形態を図を参照して説明する。
（第１の実施形態）
図１は、本発明の第１の実施形態である回転電機の上半分を断面で表わした側面図である。
【００１２】
図に示すように、本実施形態の回転電機が既に説明した図５の従来の回転電機と相違する構成は、ベース１を用い、このベース１上に固定子鉄心取付脚３及び軸受台５を配置し固定した点であり、その他の構成は同一であるので同一構成部分には同一符号を付して説明する。
【００１３】
本実施形態によると、固定子鉄心２と軸受４と回転子６の荷重は全てベース１で受けるので、従来使用されていた固定子枠と固定子枠用リブと固定子枠用棚板が必要なくなる。
【００１４】
したがって、回転電機の総重量は軽量化され、また、保守点検及び清掃スペースも広くなるので、回転電機の保守点検及び清掃作業は容易となる。
【００１５】
（第２の実施形態）
図２は、本発明の第２の実施形態である回転電機の上半分を断面で表わした側面図である。
図に示すように、本実施形態が図１の第１の実施形態と相違する構成は、励磁機７を取り付けた励磁機取付脚８を、固定子鉄心取付脚３及び軸受台５と同様に同一ベース１上に配置し固定した点であり、その他の構成は同一であるので同一構成部分には同一符号を付して説明する。
【００１６】
本実施形態によると、励磁機取付脚８と固定子鉄心取付脚３及び軸受台５を同一ベース１上に配置し固定しているので、固定子鉄心２と軸受４と回転子６の荷重は勿論、励磁機７の荷重も全てベース１で受けるように構成されている。
【００１７】
したがつて、第１の実施形態と同様に、従来使用していた固定子枠と固定子枠用リブと固定子枠用棚板が必要ないことから、回転電機の総重量は軽量化でき、また、保守点検及び清掃スペースも広くなるので、保守点検及び清掃作業は容易となる。
【００１８】
（第３の実施形態）
図３は、本発明の第３の実施形態である回転電機の上半分を断面で表わした側面図である。
図に示すように、本実施形態が図２の第２の実施形態と相違する構成は、同一ベース１上に配置し固定した固定子鉄心取付脚３と軸受台５及び励磁機取付脚８を覆うように固定子カバー９1をベース１上に取付けた点であり、その他の構成は同一であるので同一構成部分には同一符号を付して説明する。
【００１９】
本実施形態によると、同一ベース１上に配置し固定した固定子鉄心取付脚３と軸受台５及び励磁機取付脚８を覆うように固定子カバー９1をベース１上に取付けているので、固定子カバー９1は通風経路の外皮としての役割りをなすとともに、従来使用していた固定子枠と固定子枠用リブと固定子枠用棚板は必要なく薄板で製作できることから回転電機の総重量は軽量化でき、また、保守点検及び清掃スペース１０も広くなる。
したがって、本実施形態においても、保守点検及び清掃作業は容易となる。
【００２０】
（第４の実施形態）
図４は、本発明の第４の実施形態である回転電機の上半分を断面で表わした側面図である。
図に示すように、本実施形態が図３の第３の実施形態と相違する構成は、同一ベース１上に配置し固定した固定子鉄心取付脚３及び励磁機取付脚８は覆い，軸受台５は覆わないように固定子カバー９２をベース１上に取付けた点であり、その他の構成は同一であるので同一構成部分には同一符号を付して説明する。
【００２１】
本実施形態の固定子カバー９2は、第３の実施形態の固定子カバー９1とは異なり、同一ベース１上に配置し固定した固定子鉄心取付脚３及び励磁機取付脚８は覆い，軸受台５は覆わないように固定子カバー９２をベース１上に取付けた構成となっており、通風経路の外皮としての役割をなすので、従来使用していた固定子枠と固定子枠用リブと固定子枠用棚板は必要なく薄板で製作できることから回転電機の総重量は軽量化でき、また、保守点検及び清掃スペース１０も広くなる。
したがって、本実施形態においても、保守点検及び清掃作業は容易にできる。
【図面の簡単な説明】
【００２２】
【図１】本発明の第１の実施形態である回転電機の上半分を断面で表わした側面図。
【図２】本発明の第２の実施形態である回転電機の上半分を断面で表わした側面図。
【図３】本発明の第３の実施形態である回転電機の上半分を断面で表わした側面図。
【図４】本発明の第４の実施形態である回転電機の上半分を断面で表わした側面図。
【図５】従来の回転電機の形態である回転電機の上半分を断面で表わした側面図。
【符号の説明】
【００２３】
１…ベース、２…固定子鉄心、３…固定子鉄心取付脚、４…軸受、５…軸受台、６…回転子、７…励磁機、８…励磁機取付脚、９1，９2…固定子カバー、１０…保守点検スペース、１１…固定子枠、１２…固定子枠用リブ、１３…固定子枠用棚板、１４…軸受プラケット、１５…励磁機取付枠。
【図１】
2007143301.tif 000003
【図２】
2007143301.tif 000004
【図３】
2007143301.tif 000005
【図４】
2007143301.tif 000006
【図５】
2007143301.tif 000007